(57)【要約】      （修正有）【課題】回転軸の両方の転がり軸受の潤滑、冷却条件を良好として耐焼付き性の向上を図る。【解決手段】ケース１内に回転軸４を横置き姿勢で回転自在に支持するようケース１と回転軸４との間に軸方向に離れて介装される一対の転がり軸受５，６と、両転がり軸受５，６の各内輪間に介装される筒状のスペーサ８とを含み、かつケース１に、両転がり軸受５，６間の環状空間の上方にオイルを吐出させるためのオイル供給路１１が設けられる軸受装置において、スペーサ８の外周には、オイル供給路１１から吐出されるオイルを両転がり軸受５，６へ向けて分流させるための径方向外向き壁１５が設けられている。ケース１内周には、径方向外向き壁１５と軸方向に接近して対向する径方向内向き壁１６が設けられている。【選択図】図１
2009041589.tif 000002
【特許請求の範囲】
【請求項１】
ケース内に回転軸を横置き姿勢で回転自在に支持するようケースと回転軸との間に軸方向に離れて介装される一対の転がり軸受と、両転がり軸受の各内輪間に介装される筒状のスペーサとを含み、かつ前記ケースに、前記両転がり軸受間の環状空間の上方にオイルを吐出させるためのオイル供給路が設けられる軸受装置であって、
前記スペーサ外周には、前記オイル供給路から吐出されるオイルを前記両転がり軸受へ向けて分流させるための径方向外向き壁が設けられ、
前記ケース内周には、径方向内向き壁が前記径方向外向き壁と軸方向に並んで設けられている、ことを特徴とする軸受装置。
【請求項２】
請求項１に記載の軸受装置において、
前記一対の転がり軸受は、斜接形とされ、それぞれ外向きに組み合わされる状態で設置される、ことを特徴とする軸受装置。
【請求項３】
請求項１または２に記載の軸受装置において、
前記径方向外向き壁と径方向内向き壁とが、軸方向に接近して対向する状態に配置される、ことを特徴とする軸受装置。
【請求項４】
デファレンシャルケースと、デファレンシャルケース内に設けられた差動減速機構と、外端に動力入力軸が連結されかつ内端に前記差動減速機構に備えるリングギヤに噛合するドライブピニオンギヤが設けられるドライブピニオンシャフトと、ドライブピニオンシャフトを前記デファレンシャルケースに回転自在に支持する軸受装置とを含み、
前記軸受装置が、請求項１から３のいずれか一つに記載の構成とされ、前記ドライブピニオンシャフトが請求項１から３のいずれか一つに記載の回転軸とされ、前記デファレンシャルケースが請求項１から３のいずれか一つに記載のケースとされる、ことを特徴とするデファレンシャル。
【請求項５】
請求項４に記載のデファレンシャルは、デファレンシャルケース内のオイルを、リングギヤの回転に伴い上方に跳ね上げるとともに、前記一対の転がり軸受間の環状空間に導くようにしたオイルはねかけ潤滑方式が採用される、ことを特徴とするデファレンシャル。
【発明の詳細な説明】
【技術分野】
【０００１】
本発明は、軸受装置、ならびに当該軸受装置を用いたデファレンシャルに関する。なお、デファレンシャルは、自動車等の車両に搭載されるものである。
【背景技術】
【０００２】
自動車等の車両に搭載されるデファレンシャルは、一般的に、その入力軸となるドライブピニオンシャフトを軸方向に離した一対の転がり軸受でデファレンシャルケースに回転自在に支持させるようになっている。
【０００３】
そして、デファレンシャルケース内のオイルを、リングギヤの回転で跳ね上げて、デファレンシャルケースの天井側に設けてあるオイル供給路を通じて前記一対の転がり軸受間の環状空間に導き、前記両転がり軸受を潤滑させるようにしている。このような潤滑形態を、オイルはねかけ潤滑方式と呼んでいる。
【０００４】
ところで、車両にデファレンシャルを搭載した状態では、デファレンシャルが前上がり姿勢に傾く場合がある。そのような場合、前記高い側（ドライブピニオンシャフトのフランジ継手側）に位置する転がり軸受に対するオイル供給量が不足する傾向となる。
【０００５】
これに対し、前記一対の転がり軸受のうち、前記低い側（ドライブピニオンギヤ側）に位置する転がり軸受に対するオイル供給を制限することによって、前記高い側（ドライブピニオンシャフトのフランジ継手側）に位置する転がり軸受に対するオイル供給量を増加させるようにするものが提案されている（例えば特許文献１参照。）。
【０００６】
この従来例では、一対の転がり軸受の間に介装されるスペーサの軸方向所定位置に径方向外向きに突出する突出部を一体に形成するようになっている。
【０００７】
上記特許文献１に係る従来例では、オイルが過剰に供給される条件となる側の転がり軸受に対するオイル供給を制限して、オイル供給が不足しがちな条件となる側の転がり軸受に対するオイル供給量を増加させるという目的であって、この目的を達成するために、スペーサの突出部をオイル供給路よりもドライブピニオンギヤ側に配置し、その外周縁をケースの内周面に微小隙間を介して対向させるようにしている。
【０００８】
つまり、前記突出部が堰となって、オイルがドライブピニオンギヤ側の転がり軸受へ流れることをほとんど阻止して、オイル供給路から吐出されるオイルの略すべてをドライブピニオンシャフトのフランジ継手側の転がり軸受へ向けて流すようにしている。
【０００９】
このような特許文献１に係る従来例に対し、前記一対の転がり軸受に対するオイル供給量をそれぞれ過不足のないようにすることを目的としたものが提案されている（例えば特許文献２参照。）。
【００１０】
この従来例では、一対の転がり軸受の間にオイルシールを配置するような構成になっている。
【特許文献１】特開２００５−１６３９７３号公報
【特許文献２】特開平８−３２６８７７号公報
【発明の開示】
【発明が解決しようとする課題】
【００１１】
上記特許文献２に係る従来例では、両方の転がり軸受に対するオイル供給量をそれぞれ過不足のないようにするという目的思想が伺えるものの、この目的思想を具現化するための構成について改良の余地があると言える。
【００１２】
すなわち、この従来例では、オイルシールを用いているが、その場合、このオイルシールの芯金をケースに対して圧入する必要が生じるために、その組み込み作業が面倒となることが懸念される。さらに、オイルシールのシールリップをスペーサの外周面に接触させている関係より、その摺接抵抗がドライブピニオンシャフトのフリクションロスとなり、動作円滑性を損なうことが懸念される。
【００１３】
本発明は、回転軸をケースに一対の転がり軸受を介して回転自在に支持する軸受装置において、前記両方の転がり軸受の潤滑、冷却条件を良好として耐焼付き性の向上を図ることを目的としている。
【００１４】
また、本発明は、ドライブピニオンシャフトをデファレンシャルケースに一対の転がり軸受を介して回転自在に支持する構成を有するデファレンシャルにおいて、各部の動作円滑化ならびに耐久性の向上を図ることを目的としている。
【課題を解決するための手段】
【００１５】
本発明は、ケース内に回転軸を横置き姿勢で回転自在に支持するようケースと回転軸との間に軸方向に離れて介装される一対の転がり軸受と、両転がり軸受の各内輪間に介装される筒状のスペーサとを含み、かつ前記ケースに、前記両転がり軸受間の環状空間の上方にオイルを吐出させるためのオイル供給路が設けられる軸受装置であって、前記スペーサ外周には、前記オイル供給路から吐出されるオイルを前記両転がり軸受へ向けて分流させるための径方向外向き壁が設けられ、前記ケース内周には、径方向内向き壁が前記径方向外向き壁と軸方向に並んで設けられている、ことを特徴としている。
【００１６】
なお、前記径方向外向き壁については、スペーサ外周の全周に設けるように環状にしてもよいし、また、スペーサ外周の例えば略上半分に設けるように略半円形状にしてもよい。また、前記径方向内向き壁については、ケース内周の全周に設けるように環状にしてもよいし、また、ケース内周の例えば略下半分に設けるように略半円形状にしてもよい。
【００１７】
この構成によれば、径方向外向き壁が主としてオイル供給路から吐出されるオイルを両方の転がり軸受へ向けて分流させるように作用し、また、径方向内向き壁が主として前記分流されたオイルを片方の転がり軸受側へ偏るように流動させないように作用する。
【００１８】
そして、回転軸の回転中は、径方向外向き壁が、その両側に位置するオイルを回転遠心力によって径方向外向きに振り飛ばして前記径方向内向き壁とケース内周との角部へ集めるようにも作用する。この集められたオイルは、径方向内向き壁の存在によって軸方向に流れないように堰き止められるから、この径方向内向き壁を越えて反対側に流れにくくなる。
【００１９】
これにより、前記二つの壁を挟んだ一方の転がり軸受側から他方の転がり軸受側へのオイル流動が抑制または阻止されるようになるから、両転がり軸受の動作環境、つまり潤滑、冷却条件を良好とすることが可能になって、両転がり軸受の耐焼付き性の向上に貢献できるようになる。
【００２０】
しかも、前述した役割を担う二つの壁を非接触に配置しているので、単一のオイルシールを用いる従来例に比べて、フリクションロスの軽減が可能になるとともに、比較的簡単に設置することが可能になる。
【００２１】
好ましくは、前記一対の転がり軸受は、斜接形とされ、それぞれ外向きに組み合わされる状態で設置される。
【００２２】
この構成では、一対の転がり軸受の組み合わせ形態について、ドライブピニオンシャフトの支持剛性が向上するような形態に特定している。
【００２３】
好ましくは、前記径方向外向き壁と径方向内向き壁とが、軸方向に接近して対向する状態に配置される。
【００２４】
この構成では、二つの壁が非接触でありながら、当該二つの壁の一方側から他方側へのオイルの流動を規制する仕切りとなる。また、非接触であるから、オイルシールを用いる従来例のように摺接抵抗が発生することがない。
【００２５】
また、本発明に係るデファレンシャルは、デファレンシャルケースと、デファレンシャルケース内に設けられた差動減速機構と、前端に動力入力軸が連結されかつ後端に前記差動減速機構に備えるリングギヤに噛合するドライブピニオンギヤが設けられるドライブピニオンシャフトと、ドライブピニオンシャフトを前記デファレンシャルケースに回転自在に支持する軸受装置とを含み、前記軸受装置が、上述した構成とされ、ドライブピニオンシャフトが上述した構成の回転軸とされ、前記デファレンシャルケースが上述した構成のケースとされる、ことを特徴としている。
【００２６】
この構成によれば、ドライブピニオンシャフトを支持する一対の転がり軸受に、共に必要十分な量のオイルを供給することが可能になるので、前記両転がり軸受の潤滑、冷却条件が良好となり、デファレンシャルにおける各部の動作円滑化ならびに耐久性の向上を図るうえで有利となる。
【００２７】
好ましくは、前記デファレンシャルは、デファレンシャルケース内のオイルを、リングギヤの回転に伴い上方に跳ね上げるとともに、前記一対の転がり軸受間の環状空間に導くようにしたオイルはねかけ潤滑方式が採用される。
【００２８】
この構成によれば、オイルポンプ等を用いないので、設備コストならびに設置スペースを低減するうえで有利となる。
【発明の効果】
【００２９】
本発明の軸受装置によれば、回転軸支持用の一対の転がり軸受における潤滑、冷却条件を良好として耐焼付き性の向上を図ることが可能になる。
【００３０】
本発明のデファレンシャルによれば、各部の動作円滑化ならびに耐久性の向上を図ることが可能になる。
【発明を実施するための最良の形態】
【００３１】
以下、本発明の最良の実施形態について図面を参照して詳細に説明する。
【００３２】
図１から図４に本発明の一実施形態を示している。図示しているデファレンシャルは、フロントエンジン・リヤドライブ（ＦＲ）形式の自動車に搭載されるタイプを例に挙げている。
【００３３】
本発明の特徴を適用した部分の説明に先立ち、本発明の適用対象となる自動車用のデファレンシャルの概要について、図１および図２を参照して説明する。
【００３４】
図１には、デファレンシャルを縦断面にした状態を、図２には、デファレンシャルを横断面にした状態をそれぞれ示している。図中、１はデファレンシャルケース（デフキャリアとも呼ばれる）、２は差動変速機構、３はドライブピニオンギヤ、４はドライブピニオンシャフトである。
【００３５】
デファレンシャルケース１は、例えばフロントケース１ａと、リヤケース１ｂとを組み合わせるツーピース構造になっている。このデファレンシャルケース１の内部には、潤滑用のオイルが所定量貯溜されている。
【００３６】
差動変速機構２は、ドライブピニオンシャフト４から入力される動力を、必要に応じて左右の車軸（ドライブシャフトと呼ばれる）１３ａ，１３ｂに分配して車輪（図示省略）に駆動力を出力するもので、デファレンシャルケース１のフロントケース１ａ側に配設されている。
【００３７】
この差動変速機構２は、一般的に公知の構成であるが、本発明の特徴に直接的に関与しない部分であるので、図１においては、リングギヤ２ａのみを図示し、その他の構成要素（ピニオンギヤやサイドギヤ等）の詳細な図示や説明を割愛する。
【００３８】
ドライブピニオンギヤ３は、差動変速機構２のリングギヤ２ａに噛合されるもので、ドライブピニオンシャフト４の内端側に一体に形成されている。
【００３９】
ドライブピニオンシャフト４は、その軸方向に離れた二箇所がそれぞれ転がり軸受５，６を介してデファレンシャルケース１のフロントケース１ａの所要位置に回転自在に支持されている。このドライブピニオンシャフト４は、横置き姿勢とされている。
【００４０】
このドライブピニオンシャフト４の外端側には、図示しない推進軸（プロペラシャフト等と呼ばれる）が連結されるフランジ継手７が取り付けられている。つまり、このドライブピニオンシャフト４が駆動力の入力軸となっている。
【００４１】
前述した二つの転がり軸受５，６は、この実施形態において、両方ともに円すいころ軸受とし、この二つの円すいころ軸受を外向きに組み合わせた状態で組み込み、それらの内輪（符号省略）間に筒形のスペーサ８を介装することにより、両転がり軸受５，６の相対位置が規定されている。
【００４２】
参考までに、二つの転がり軸受５，６のうち、動力伝達方向の上流側つまりフランジ継手７側に位置するほうがフロント側（またはテール側）と呼ばれ、動力伝達方向の下流側つまりドライブピニオンギヤ３側に位置するほうがリヤ側（またはヘッド側）と呼ばれる。一般的に、フロント側の転がり軸受５よりリヤ側の転がり軸受６のほうが負荷容量の大きい大型サイズとされる。
【００４３】
ところで、ドライブピニオンシャフト４の外端側の外周面と、デファレンシャルケース１のフロントケース１ａにおける小端側内周面との対向間には、デファレンシャルケース１の外部へのオイル漏洩を防止するためのオイルシール９が装着されている。このオイルシール９は図に詳細に記載していないが、例えば内径側にフランジ継手７の外周面に接触するシールリップを有するタイプとされる。
【００４４】
上述したデファレンシャルは、デファレンシャルケース１の底側に存在するオイルをリングギヤ２ａで跳ね上げて一対の転がり軸受５，６間の環状空間に導くようにしたオイルはねかけ潤滑方式が採用されている。
【００４５】
図１に示すように、デファレンシャルケース１のフロントケース１ａにおける上半分の頂上部には、オイル供給路１１が設けられている。
【００４６】
このオイル供給路１１は、リングギヤ２ａで跳ね上げられたオイルを受け入れてから、このオイルを一対の転がり軸受５，６間における環状空間の上方に吐出させるものである。
【００４７】
また、図２に示すように、デファレンシャルケース１のフロントケース１ａにおける一側の所定位置（例えば時計文字盤の短針６時から９時の間に相当する領域）には、オイル還流路１２が設けられている。
【００４８】
このオイル還流路１２は、フロント側の転がり軸受５より動力伝達方向上流に存在するオイルをデファレンシャルケース１のリヤケース１ｂ側へ戻すものである。
【００４９】
上述したデファレンシャルにおいて、デファレンシャルケース１、ドライブピニオンシャフト４、一対の転がり軸受５，６、スペーサ８等で、軸受装置を構成している。
【００５０】
次に、本発明の特徴を適用した部分について説明する。
【００５１】
そもそも、上述したデファレンシャルは、自動車に搭載された状態で、一般的に、例えば図１に示すように、若干前上がり姿勢になっている関係より、一対の転がり軸受５，６の間における環状空間に供給されるオイルが、リヤ側の転がり軸受６へ向けて流れやすくなるために、フロント側の転がり軸受５の潤滑、冷却条件が比較的厳しくなりやすい、と言える。
【００５２】
その理由は、前述した前上がり姿勢にしていることの他にも、一般的にリヤ側の転がり軸受６についてフロント側の転がり軸受５よりも負荷容量の大きいタイプが採用されるため、リヤ側の転がり軸受６の内部空間をオイルが通過するときの抵抗が小さいうえ、リヤ側の転がり軸受６により発生するオイル送り作用（ポンプ作用）がフロント側の転がり軸受５のそれより高い、ということも関係していると考えられる。
【００５３】
この点を考慮し、この実施形態では、上述したデファレンシャルにおいて、オイル供給路１１から吐出されるオイルを、一対の転がり軸受５，６へそれぞれ必要十分な量のオイルを供給させるように工夫し、前記のようなオイルの偏り流動傾向を是正している。
【００５４】
まず、スペーサ８の外周において軸方向中央位置には、径方向外向き壁１５が設けられている。この径方向外向き壁１５は、オイル供給路１１から吐出されるオイルを両方の転がり軸受５，６へ向けて適宜の割合で分流させるのに役立つ。
【００５５】
具体的に、径方向外向き壁１５は、スペーサ８と別体の円環状プレートで形成されており、スペーサ８の小径部側の外周において大径部との境目寄りに、例えば圧入により嵌合されることによって軸方向に位置決め固定されている。このため、径方向外向き壁１５をスペーサ８に取り付けた状態でフロントケース１ａ内に組み込むことが可能になり、その設置作業がオイルシールを用いる従来例に比べて簡単になる。
【００５６】
また、デファレンシャルケース１のフロントケース１ａの内周には、径方向内向き壁１６が設けられている。この径方向内向き壁１６は、フロント側の転がり軸受５側に供給されたオイルがリヤ側の転がり軸受６側へ流動することを規制するのに役立つ。
【００５７】
具体的に、径方向内向き壁１６は、フロントケース１ａの下半分の領域に半円形状に一体的に形成されている。
【００５８】
これら径方向外向き壁１５と径方向内向き壁１６とは、軸方向に並ぶ状態で設けられている。但し、径方向外向き壁１５はフロント側の転がり軸受５側に配置され、また、径方向内向き壁１６はリヤ側の転がり軸受６側に配置されている。
【００５９】
そして、径方向外向き壁１５の外径Ｒ１と、径方向内向き壁１６の内径Ｒ２との関係が、例えばＲ１＞Ｒ２に設定されている。これにより、径方向外向き壁１５と径方向内向き壁１６とが、径方向でオーバーラップ、つまり軸方向に接近した状態で対向されている。
【００６０】
なお、例えば径方向外向き壁１５の外径Ｒ１と径方向内向き壁１６の内径Ｒ２とは、等しく設定してもよいし、また、若干であれば小さく設定してもよい。後者のように小さくする場合には、両壁１５，１６の寸法差を可及的に小さくするのが好ましい。
【００６１】
また、両壁１５，１６の軸方向での対向隙間は、任意であるが、例えばいわゆるラビリンスシールと呼ばれるような密封作用を発揮するように、小さく設定するのが好ましい。
【００６２】
次に、上述した特徴を適用した実施形態のデファレンシャルの動作中におけるオイルの動きを説明する。
【００６３】
ドライブピニオンシャフト４が回転停止している場合には、例えばデファレンシャルケース１内におけるオイル液面高さは、図１中のＨで示すように設定されている。
【００６４】
ここで、ドライブピニオンシャフト４の回転すると、このドライブピニオンシャフト４により回転駆動されるリングギヤ２ａでもってリヤケース１ｂ内のオイルが、跳ね上げられてオイル供給路１１に導入されることになる。このオイル供給路１１に導入されたオイルは、一対の転がり軸受５，６間の環状空間における上方の軸方向略中央から吐出されることになる。
【００６５】
このとき、デファレンシャルの構造や設置姿勢の関係より、オイル供給路１１から前記環状空間に吐出されたオイルが、フロント側の転がり軸受５よりもリヤ側の転がり軸受６へ向けて多く流れようとする傾向になっているものの、オイル供給路１１から環状空間内に吐出されたオイルは、まず、径方向外向き壁１５によってフロント側の転がり軸受５とリヤ側の転がり軸受６とに適宜の割合（例えば半々）で分流されることになる。
【００６６】
この分流割合は、径方向外向き壁１５の軸方向位置や径方向高さによって、適宜に設定することが可能である。
【００６７】
そして、前記分流されたオイルは、両方の転がり軸受５，６の内部空間を通過して、必要部位を潤滑、冷却する。この後、リヤ側の転がり軸受６を通過したオイルはリヤケース１ｂへ直接的に排出されるが、フロント側の転がり軸受５を通過したオイルは、オイル還流路１２を介してリヤケース１ｂへ戻される。
【００６８】
ところで、前記環状空間において径方向外向き壁１５を中心としてフロント側の転がり軸受５側に供給されたオイルは、ドライブピニオンシャフト４の回転中、それと一体回転する径方向外向き壁１５の回転遠心力によってフロントケース１ａの内周面へ押しやられることになる。
【００６９】
この外径側に押しやられたオイルは、径方向内向き壁１６の存在により堰き止められるので、リヤ側の転がり軸受６へ向けて流れずに、フロント側の転がり軸受５側へ向けて流れるようになる。
【００７０】
前記堰き止め作用について詳しく説明する。前述したように径方向外向き壁１５と径方向内向き壁１６とを軸方向に非接触にしているものの、その隙間をラビリンスシールのごとく微小に設定している。しかも、前記隙間を形成する径方向外向き壁１５においてリヤ側転がり軸受６寄りの側面を、オイルが回転遠心力で径方向外向きに流れるようになる。これらのことから、前記隙間内でオイルが径方向内向きに流れることが阻止または制限されることになって、径方向内向き壁１６で堰き止めたオイルがリヤ側の転がり軸受６へ向けて流れなくなるのである。
【００７１】
なお、径方向外向き壁１５と径方向内向き壁１６とを非接触状態にしていれば、オイルシールを用いる従来例のように摺接抵抗が発生することがなく、ドライブピニオンシャフト４のフリクションロスを前記従来例に比べて軽減することが可能になる。
【００７２】
このようにして、リヤ側の転がり軸受６へ向けて大半のオイルが偏って流動することを防止して、フロント側の転がり軸受５へ必要十分な量のオイルを供給させるようになっている。
【００７３】
参考までに、径方向外向き壁１５および径方向内向き壁１６の設置場所や、それらの軸方向隙間等については、フロント側の転がり軸受５とリヤ側の転がり軸受６の潤滑、冷却条件を安定させるうえで必要なオイル量を予め実験等により把握しておき、いかなる運転状態においてもフロント側の転がり軸受５とリヤ側の転がり軸受６とに対するオイル供給量が必要最小限を下回らないように、かつ、過剰供給とならないように、設定される。
【００７４】
以上説明したように、本発明の特徴を適用した実施形態では、オイル供給路１１から吐出されるオイルを、フロント側の転がり軸受５とリヤ側の転がり軸受６とに適正に分配可能にしたうえで、フロント側の転がり軸受５へ分配供給したオイルをリヤ側転がり軸受６側へ流動することを防止している。
【００７５】
これにより、両方の転がり軸受５，６の潤滑、冷却条件を良好にできるから、耐焼付き性を向上するうえで有利となるとともに、デファレンシャルの各部の動作円滑化ならびに耐久性の向上を図るうえで有利となる。
【００７６】
しかも、前記のオイル偏り流動を抑制または防止させるための構成として、非接触の二つの壁１５，１６を利用しているから、それらの摺接抵抗が発生せずに済むとともに、オイルシールを用いる従来例に比べて比較的簡単に設置することが可能になる。
【００７７】
なお、本発明は、上記実施形態のみに限定されるものではなく、特許請求の範囲内および当該範囲と均等の範囲で包含されるすべての変形や応用が可能である。以下で例を挙げる。
【００７８】
（１）上記実施形態では、一対の斜接形の転がり軸受５，６を共に円すいころ軸受とした例を挙げているが、両方の転がり軸受５，６を共にアンギュラ玉軸受やタンデム型複列玉軸受等としたり、あるいはフロント側の転がり軸受５をアンギュラ玉軸受やタンデム型複列玉軸受としたうえで、リヤ側の転がり軸受６を円すいころ軸受とした組み合わせとしたり、することが可能である。
【００７９】
（２）上記実施形態では、ＦＲ（フロントエンジン・リヤドライブ）方式の車両に搭載されるデファレンシャルを例に挙げている。しかし、ＦＦ（フロントエンジン・フロントドライブ）方式の車両や、４ＷＤ（４ホイールドライブ）方式の車両に搭載されるデファレンシャルに対しても、本発明を適用することが可能である。
【００８０】
（３）上記実施形態では、径方向外向き壁１５をスペーサ８と別の単独部品とした例を挙げているが、スペーサ８に径方向外向き壁１５に相当する部分を一体に形成するようにしたものも、本発明に含まれる。
【００８１】
この場合、部品点数を減らせるとともに、径方向外向き壁１５の設置作業を無くすことができるから、設備コストを低減するうえで有利となる。
【００８２】
（４）上記実施形態では、径方向外向き壁１５を全周に連続するように形成した例を挙げているが、デファレンシャルケース１のフロントケース１ａの略上半分に略半円形状に形成したものも本発明に含まれる。また、この径方向外向き壁１５は前述した半円より大きくしてもよい。
【００８３】
この場合でも、径方向外向き壁１５が、オイル供給路１１から吐出されるオイルを、フロント側の転がり軸受５とリヤ側の転がり軸受６の両方へ適宜の割合で分流させるという、本来の機能を発揮することが可能である。
【００８４】
（５）上記実施形態では、径方向内向き壁１６をデファレンシャルケース１のフロントケース１ａの略下半分に略半円形状に形成した例を挙げているが、半円よりも大きくしてもよいし、また、全周に連続するように形成したものも本発明に含まれる。
【００８５】
但し、その場合、径方向内向き壁１６をフロントケース１ａと別体に形成し、それをフロントケース１ａに取り付けるようにすることが、実用上好ましい。
【００８６】
このような場合でも、径方向内向き壁１６が、それよりフロント側の転がり軸受５に存在するオイルを、リヤ側の転がり軸受６へ流動させないようにするという、本来の機能を発揮することが可能である。
【図面の簡単な説明】
【００８７】
【図１】本発明の一実施形態である自動車用のデファレンシャルの縦断面図である。
【図２】図１のデファレンシャルの横断面図である。
【図３】図１の（３）−（３）線断面の矢視図である。
【図４】図１の径方向外向き壁および径方向内向き壁を示す斜視図である。
【符号の説明】
【００８８】
１      デファレンシャルケース
１ａ    フロントケース
１ｂ    リヤケース
２      差動変速機構
２ａ    リングギヤ
３      ドライブピニオンギヤ
４      ドライブピニオンシャフト
５      フロント側の転がり軸受
６      リヤ側の転がり軸受
８      スペーサ
１１      オイル供給路
１２      オイル還流路
１５      径方向外向き壁
１６      径方向内向き壁
【図１】
2009041589.tif 000003
【図２】
2009041589.tif 000004
【図３】
2009041589.tif 000005
【図４】
2009041589.tif 000006